(57)【特許請求の範囲】
【請求項１】
前壁部及び前記前壁部より後方に突出する筒状の周壁部を有するプラグ本体と、
それぞれの前端部が前記前壁部から前方に突出するように前記プラグ本体に収納される複数の通電ピンと、
前記周壁部の両側にそれぞれ露設される長尺状の一対の接触片及び前記プラグ本体内において前記一対の接触片同士を連結する連結片を有する接地レールと、
前記プラグ本体内において前記複数の通電ピンとそれぞれ間隔を空けて配置され前記複数の通電ピンの温度をそれぞれ検知する複数の温度検知素子と、
を備え、
前記連結片は、前記前壁部に対向する凹所を有するように曲げられた形状を有し、
前記凹所は、前記前壁部と前記接地レールとの間に前記複数の温度検知素子を収容する収容スペースの少なくとも一部を構成する、
ことを特徴とするプラグ。
【請求項２】
前記連結片は、
前記一対の接触片の一方から他方に向かって延びる第１縦片と、
前記一対の接触片の他方から一方に向かって延びる第２縦片と、
前記第１縦片から後方に向かって延びる第１横片と、
前記第２縦片から後方に向かって延びる第２横片と、
前記第１横片と前記第２横片とを連結する接続片と、
を有し、
前記凹所は、前記第１横片と前記第２横片と前記接続片とで囲まれた空間である、
請求項１に記載のプラグ。
【請求項３】
前記複数の通電ピンは、第１通電ピンと、第２通電ピンと、を含み、
前記収容スペースは、前記第１通電ピンと前記第２通電ピンと前記一対の接触片とで囲まれている、
請求項１または２に記載のプラグ。
【請求項４】
前記第１通電ピン及び前記第２通電ピンは、前記プラグ本体の前後方向に沿った第１方向に直交する第２方向において間隔を空けて配置され、
前記一対の接触片は、前記第１方向及び前記第２方向に直交する第３方向において間隔を空けて配置され、かつ、前記第２方向において前記第１通電ピンと前記第２通電ピンとの間に位置し、
前記複数の温度検知素子は、前記第１通電ピンの温度を検知する第１温度検知素子と、前記第２通電ピンの温度を検知する第２温度検知素子と、を含む、
請求項３に記載のプラグ。
【請求項５】
前記プラグ本体は、電気絶縁性を有する第１接触防止部及び第２接触防止部をさらに有し、
前記第１温度検知素子及び前記第２温度検知素子のそれぞれは、前記接地レールを横切るように配置される出力端子を有し、
前記第１接触防止部は、前記第１温度検知素子の前記出力端子と前記接地レールとの間に位置し、
前記第２接触防止部は、前記第２温度検知素子の前記出力端子と前記接地レールとの間に位置する、
請求項４に記載のプラグ。
【請求項６】
前記接地レールを横切って前記第１温度検知素子に接続される第１信号線と、
前記接地レールを横切って前記第２温度検知素子に接続される第２信号線と、
をさらに備え、
前記プラグ本体は、電気絶縁性を有する第１接触防止部及び第２接触防止部をさらに有し、
前記第１接触防止部は、前記第１信号線と前記接地レールとの間に位置し、
前記第２接触防止部は、前記第２信号線と前記接地レールとの間に位置する、
請求項４に記載のプラグ。
【請求項７】
前記プラグ本体は、電気絶縁性を有する第１壁部及び第２壁部をさらに有し、
前記第１壁部は、前記第１通電ピンと前記第１温度検知素子との間に位置し、
前記第２壁部は、前記第２通電ピンと前記第２温度検知素子との間に位置する、
請求項４〜６のいずれか一つに記載のプラグ。
【発明の詳細な説明】
【技術分野】
【０００１】
本発明は、プラグに関し、特に、複数の通電ピンでの発熱を検知するプラグに関する。
【背景技術】
【０００２】
特許文献１に開示されたプラグは、前壁部及び前壁部より後方に突出する筒状の周壁部を有するプラグ本体と、それぞれの前端部が前壁部から前方に突出するようにプラグ本体に収納される複数のプラグピンと、周壁部の両側にそれぞれ露設される一対の端子部及びプラグ本体内において一対の端子部同士を連結する連結部を有する接地端子と、を備える。
【０００３】
特許文献２に開示されたプラグは、丸棒状の一対のプラグピンと、一対のプラグピンの温度を検知するサーミスタと、を備える。特許文献２のプラグを用いれば、プラグとレセプタクルの接触不良に起因する一対のプラグピンでの発熱を検知できる。
【先行技術文献】
【特許文献】
【０００４】
【特許文献１】国際公開第２０１４／９１５５２号
【特許文献２】特開２０１４−３８７８５号公報
【発明の概要】
【発明が解決しようとする課題】
【０００５】
特許文献１のプラグは、サーミスタを備えておらず、一対のピンでの発熱を検知できない。そこで、特許文献１のプラグに、特許文献２のようにサーミスタを設けることが考えられる。
【０００６】
特許文献１のプラグでは、プラグ本体内に接地端子の連結部が存在する。そのため、特許文献１のプラグにサーミスタを設ける場合、サーミスタは、接地端子に接触しないように、接地端子の後方に配置する必要がある。この場合、プラグ本体は、接地端子の後方に配置されるサーミスタを収容できるような大きさにしなければならず、プラグ本体の大型化を避けることができない。また、サーミスタが接地端子の後方に配置されると、サーミスタとプラグピンとの距離が大きくなるから、一対のプラグピンでの発熱を精度よく検知することが難しい。
【０００７】
本発明が解決しようとする課題は、プラグ本体の大型化を防止しながらも、複数の通電ピンでの発熱を精度よく検知できるプラグを提供することである。
【課題を解決するための手段】
【０００８】
本発明に係る形態のプラグは、前壁部及び前記前壁部より後方に突出する筒状の周壁部を有するプラグ本体と、それぞれの前端部が前記前壁部から前方に突出するように前記プラグ本体に収納される複数の通電ピンと、前記周壁部の両側にそれぞれ露設される長尺状の一対の接触片及び前記プラグ本体内において前記一対の接触片同士を連結する連結片を有する接地レールと、前記プラグ本体内において前記複数の通電ピンとそれぞれ間隔を空けて配置され前記複数の通電ピンの温度をそれぞれ検知する複数の温度検知素子と、を備える。前記連結片は、前記前壁部に対向する凹所を有するように曲げられた形状を有する。前記凹所は、前記前壁部と前記接地レールとの間に前記複数の温度検知素子を収容する収容スペースの少なくとも一部を構成する。
【発明の効果】
【０００９】
本発明によれば、プラグ本体の大型化を防止しながらも、複数の通電ピンでの発熱を精度よく検知できるプラグを提供できる。
【図面の簡単な説明】
【００１０】
【図１】本発明に係る一実施形態のプラグの要部の断面図である。
【図２】上記実施形態のプラグの分解斜視図である。
【図３】上記実施形態のプラグの正面図である。
【図４】上記実施形態のプラグの平面図である。
【図５】上記実施形態のプラグの底面図である。
【図６】上記実施形態のプラグの接地レールの側面図である。
【図７】上記実施形態のプラグの内部構造の斜視図である。
【図８】上記実施形態のプラグの内部構造の前面図である。
【図９】上記実施形態のプラグの内部構造の後面図である。
【図１０】上記実施形態のプラグの断面図である。
【発明を実施するための形態】
【００１１】
（実施形態）
以下、図１〜図１０を参照して本発明に係る一実施形態のプラグを説明する。なお、図１は図３のＡ−Ａ線における断面図である。ただし、図１では、プラグの構成を一部省略する。また、図１０は図４のＢ−Ｂ線における断面図である。
【００１２】
本実施形態のプラグは、ＣＥＥ７／７に適合するプラグである。本実施形態のプラグは、図２〜図５に示すように、複数（本実施形態では２つ）の通電ピン（プラグピン）１０と、一つの接地レール（接地端子）２０と、プラグ本体３０と、複数（本実施形態では２つ）の温度検知素子４０と、ケーブル５０と、を備える。以下、必要に応じて２つの通電ピン１０の一方を第１通電ピン１０Ａといい、他方を第２通電ピン１０Ｂという。また、必要に応じて２つの温度検知素子４０の一方を第１温度検知素子４０Ａといい、他方を第２温度検知素子４０Ｂという。
【００１３】
ケーブル５０は、図２に示すように、５本の電線５１〜５５と、５本の電線５１〜５５を覆うシース５６と、を備える。ケーブル５０の第１端では５本の電線５１〜５５がシース５６から露出し、ケーブル５０の第２端は任意の機器（例えば、プラグ、レセプタクルなど）に接続される。５本の電線５１〜５５は、２本の（第１及び第２）通電線５１，５２と、接地線５３と、２本の（第１及び第２）信号線５４，５５と、である。本実施形態では、第１通電線５１は電圧線であり、第２通電線５２は中性線である。第１通電線５１は第１通電ピン１０Ａに、第２通電線５２は第２通電ピン１０Ｂに、接地線５３は接地レール２０に、第１信号線５４は第１温度検知素子４０Ａに、第２信号線５５は第２温度検知素子４０Ｂに、それぞれ電気的に接続される。
【００１４】
第１通電ピン１０Ａ及び第２通電ピン１０Ｂのそれぞれは、図２に示すように、金属により棒状に形成されている。通電ピン１０は、例えば、コンタクト１１と、電線接続部１２と、を備える。コンタクト１１は、丸棒状である。つまり、通電ピン１０は、丸ピンである。コンタクト１１の先端側は、本実施形態のプラグに対応するレセプタクルとの電気的接続に使用される。電線接続部１２は、コンタクト１１の後端側に形成される。電線接続部１２は、矩形棒状に形成される。
【００１５】
複数の通電ピン１０は、長さ方向が互いに平行するように配置される。本実施形態では、第１通電ピン１０Ａ及び第２通電ピン１０Ｂは、プラグの前後方向である第１方向（図４及び図５における上下方向）にそれぞれの長さ方向が平行し、第１方向に直交する第２方向（例えば、プラグの左右方向、図３における左右方向）において間隔を空けて配置される。
【００１６】
接地レール２０は、金属により形成されている。より詳細には、接地レール２０は、所定形状の金属板を折り曲げて形成される。接地レール２０は、図２及び図６に示すように、一対の接触片２１と、連結片２２と、電線接続部２３と、接地ピン受け２４と、を備える。以下、必要に応じて一対の接触片２１の一方を第１接触片２１Ａといい、他方を第２接触片２１Ｂという。
【００１７】
一対の接触片２１は、それぞれ、長尺状である。一対の接触片２１は、長さ方向が互いに平行するように配置される。本実施形態では、第１接触片２１Ａ及び第２接触片２１Ｂは、第１方向（図４及び図５における上下方向）にそれぞれの長さ方向が平行し、第１方向及び第２方向に直交する第３方向（例えば、プラグの上下方向、図３における上下方向）において間隔を空けて配置される。また、第１方向において、一対の接触片２１は、同じ位置に位置する。
【００１８】
連結片２２は、一対の接触片２１同士を連結する。連結片２２は、中央部が後方に凹んでおり、これによって、前方を向いた凹所２５が形成されている。
【００１９】
より詳細には、図６に示すように、連結片２２は、一対の縦片２２１と、一対の横片２２２と、接続片２２３と、を備える。以下、必要に応じて一対の縦片２２１の一方を第１縦片２２１Ａといい、他方を第２縦片２２１Ｂという。また、必要に応じて一対の横片２２２の一方を第１横片２２２Ａといい、他方を第２横片２２２Ｂという。
【００２０】
第１縦片２２１Ａは一対の接触片２１の一方（第１接触片２１Ａ）から他方（第２接触片２１Ｂ）に向かって延びており、第２縦片２２１Ｂは一対の接触片２１の他方（第２接触片２１Ｂ）から一方（第１接触片２１Ａ）に向かって延びている。本実施形態において、第１縦片２２１Ａは第１接触片２１Ａの後端から第３方向に沿って延び、第２縦片２２１Ｂは第２接触片２１Ｂの後端から第３方向に沿って延びている。本実施形態では、第１縦片２２１Ａが第２縦片２２１Ｂより長い。しかしながら、第１縦片２２１Ａは第２縦片２２１Ｂより短くてもよいし、第２縦片２２１Ｂと同じ長さでもよい。
【００２１】
第１横片２２２Ａは、第１縦片２２１Ａから後方に向かって延びている。第２横片２２２Ｂは、第２縦片２２１Ｂから後方に向かって延びている。本実施形態において、第１横片２２２Ａは第１縦片２２１Ａの先端から第１方向において第１接触片２１Ａから離れる方向に延び、第２横片２２２Ｂは第２縦片２２１Ｂの先端から第１方向において第２接触片２１Ｂから離れる方向に延びている。第１横片２２２Ａと第２横片２２２Ｂとは互いに平行し、同じ長さを有する。
【００２２】
接続片２２３は、第１横片２２２Ａと第２横片２２２Ｂとを連結する。本実施形態において、接続片２２３は、第３方向に沿って延びており、第１横片２２２Ａと第２横片２２２Ｂの先端同士を連結する。なお、接続片２２３と第１縦片２２１Ａと第２縦片２２１Ｂとの長さの合計は、一対の接触片２１間の距離に略等しい。
【００２３】
この連結片２２は、第１横片２２２Ａと第２横片２２２Ｂと接続片２２３とで囲まれたスペースである凹所２５を形成する。
【００２４】
電線接続部２３は、接地線５３の接続に使用される。電線接続部２３は、図２に示すように、平板状であり、連結片２２に設けられている。より詳細には、電線接続部２３は、連結片２２の第１横片２２２Ａから第３方向において第２横片２２２Ｂから離れる方向に延びている。なお、電線接続部２３は、第１横片２２２Ａ以外の連結片２２の部位に設けられていてもよい。
【００２５】
接地ピン受け２４は、本実施形態のプラグが接続されるレセプタクルに任意に設けられる接地ピンの接続に使用される。接地ピン受け２４は、一対のばね片２４１を備えている。接地ピン受け２４は、一対のばね片２４１の間で接地ピンを保持する。一対のばね片２４１は、連結片２２に設けられている。より詳細には、一対のばね片２４１は、第１縦片２２１Ａの両側（幅方向の両側）から前方（第１方向において第１接触片２１Ａに近づく方向）に延びている。
【００２６】
第１温度検知素子４０Ａ及び第２温度検知素子４０Ｂのそれぞれは、図７〜図９に示すように、感温部４１と、一対の端子（リード端子）４２，４３と、を備える。感温部４１は、周囲温度を検知する部位である。感温部４１は、平板状であり、平坦な温度検知面４４を有する。温度検知素子４０は、例えば、サーミスタであり、より詳しくは、ＰＴＣサーミスタである。したがって、感温部４１は、周囲温度に応じてその抵抗値が変化する。
【００２７】
第１温度検知素子４０Ａの端子４３と第２温度検知素子４０Ｂの端子４３とが互いに電気的に接続される。つまり、第１温度検知素子４０Ａと第２温度検知素子４０Ｂとは直列に接続される。第１温度検知素子４０Ａ及び第２温度検知素子の端子４３は、出力端子であり、それぞれ、第１信号線５４及び第２信号線５５に電気的に接続される。
【００２８】
複数の温度検知素子４０は、複数の通電ピン１０とそれぞれ間隔を空けて配置され複数の通電ピン１０の温度をそれぞれ検知する。特に、本実施形態では、複数の温度検知素子４０は、第１温度検知素子４０Ａと、第１温度検知素子４０Ａとは別の第２温度検知素子４０Ｂと、を含む。
【００２９】
第１温度検知素子４０Ａは、第１通電ピン１０Ａの温度を検知するために使用される。特に、第１温度検知素子４０Ａの温度検知面４４は、第１通電ピン１０Ａの電線接続部１２に対向する。
【００３０】
第２温度検知素子４０Ｂは、第２通電ピン１０Ｂの温度を検知するために使用される。特に、第２温度検知素子４０Ｂの温度検知面４４は、第２通電ピン１０Ｂの電線接続部１２に対向する。
【００３１】
プラグ本体３０は、図２〜図５に示すように、第１カバー（前カバー）３１と、ボディブロック３２と、第２カバー（後カバー）３３と、シェル３４と、一対のねじ３５と、接触防止部材３６と、を備える。また、プラグ本体３０は、図１に示すように、複数の温度検知素子４０を収容する収容スペース３７を有する。
【００３２】
第１カバー３１と、ボディブロック３２と、第２カバー３３と、シェル３４と、接触防止部材３６とは、電気絶縁性を有する樹脂で形成される。
【００３３】
第１カバー３１は、主にプラグ本体３０の前側部分を構成する。第１カバー３１は、前壁部３１１と、周壁部３１２と、を備える。
【００３４】
前壁部３１１は、プラグ本体３０の前壁部となる。前壁部３１１は、略円盤状である。前壁部３１１は、図２に示すように、複数（本実施形態では２つ）の通電ピン挿通孔３１１１と、接地ピン用受孔３１１２と、を有する。以下、必要に応じて２つの通電ピン挿通孔３１１１の一方を第１通電ピン挿通孔３１１１Ａといい、他方を第２通電ピン挿通孔３１１１Ｂという。通電ピン挿通孔３１１１は、通電ピン１０のコンタクト１１を通すが電線接続部１２を通さない大きさである。本実施形態では、通電ピン挿通孔３１１１は、円形状である。接地ピン用受孔３１１２は、上述した接地ピンを通す大きさに形成される。本実施形態において、接地ピン用受孔３１１２は、円形状である。
【００３５】
周壁部３１２は、プラグ本体３０の周壁部となる。周壁部３１２は、筒状である。特に、本実施形態では、周壁部３１２は、角筒状である。周壁部３１２は、前壁部３１１より後方に突出する。周壁部３１２は、一対の接触片２１を露出させるための一対の溝３１２１（３１２１Ａ，３１２１Ｂ）を有する。一対の溝３１２１Ａ，３１２１Ｂは、第３方向における周壁部３１２の両側に形成される。つまり、図３に示すように、一対の溝３１２１Ａ，３１２１Ｂは、第３方向において間隔を空けて配置されている。また、一対の溝３１２１Ａ，３１２１Ｂは、第２方向において第１通電ピン挿通孔３１１１Ａと第２通電ピン挿通孔３１１１Ｂとの間に位置する。一対の溝３１２１Ａ，３１２１Ｂの後端はそれぞれ開放されている。周壁部３１２は、第３方向における両面のそれぞれに、第２方向に離間した一対の第１嵌合部３１２２を有する。第１嵌合部３１２２は、第１カバー３１とボディブロック３２との結合に用いられる。
【００３６】
本実施形態のプラグでは、第１通電ピン１０Ａ、第２通電ピン１０Ｂ、及び接地レール２０が第１カバー３１に取り付けられる。
【００３７】
接地レール２０は、図１に示すように、一対の接触片２１Ａ，２１Ｂが周壁部３１２の一対の溝３１２１Ａ，３１２１Ｂ内に位置するように、前壁部３１１の後方に配置される。これにより、前壁部３１１と接地レール２０との間に収容スペース３７が形成される。接地レール２０の連結片２２の凹所２５は、前壁部３１１に対向しており、収容スペース３７の一部（本実施形態では後部）を構成する。
【００３８】
第１通電ピン１０Ａは、図２に示すように、前端部（コンタクト１１）が第１通電ピン挿通孔３１１１Ａを通して前壁部３１１から前方に突出するように第１カバー３１に取り付けられる。第２通電ピン１０Ｂは、前端部（コンタクト１１）が第２通電ピン挿通孔３１１１Ｂを通して前壁部３１１から前方に突出するように第１カバー３１に取り付けられる。これにより、第１通電ピン１０Ａ及び第２通電ピン１０Ｂは、第２方向において収容スペース３７の両側に位置する。つまり、収容スペース３７は、第１通電ピン１０Ａと第２通電ピン１０Ｂと一対の接触片２１Ａ，２１Ｂとで囲まれている。
【００３９】
ボディブロック３２は、主にプラグ本体３０の後側部分を構成する。一対の側壁部３２１（３２１Ａ，３２１Ｂ）と、一対の側壁部３２１間に位置する収納部３２２と、を備える。
【００４０】
一対の側壁部３２１はそれぞれ板状である。一対の側壁部３２１のそれぞれは、凹所３２１１と、一対の第２嵌合部３２１２と、を有する。凹所３２１１は、通電ピン１０の電線接続部１２を収容する。凹所３２１１は、側壁部３２１の外面（側壁部３２１の収納部３２２とは反対側の面）に形成される。一対の第２嵌合部３２１２は、第３方向において間隔を空けて配置される。ボディブロック３２は、合計４つの第２嵌合部３２１２を有する。第２嵌合部３２１２は、ボディブロック３２と第１カバー３１との結合に用いられる。
【００４１】
収納部３２２は、図１０に示すように、複数の温度検知素子４０（第１温度検知素子４０Ａ，４０Ｂ）を収容するように構成される。収納部３２２は、複数の温度検知素子４０を、複数の通電ピン１０及び接地レール２０から電気的に絶縁するために用いられる。収納部３２２は、互いに平行する２つの壁部３２２１（３２２１Ａ，３２２１Ｂ）を有する。２つの壁部３２２１それぞれは、平板状である。収納部３２２は、例えば、一面（図１０における上面）が開口された矩形箱状である。本実施形態では、壁部３２２１Ａの外面（収納部３２２の外側を向いた面、図１０における右面）が側壁部３２１Ａの凹所３２１１の底面となり、壁部３２２１Ｂの外面（収納部３２２の外側を向いた面、図１０における左面）が側壁部３２１Ｂの凹所３２１１の底面となる。
【００４２】
第２カバー３３は、ボディブロック３２との間でケーブル５０を保持するように、ボディブロック３２の後ろ側に取り付けられる。第２カバー３３は、平板状である。本実施形態では、第２カバー３３は、一対のねじ３５を用いて、ボディブロック３２に固定される。
【００４３】
シェル３４は、第１カバー３１の一部と、ボディブロック３２と、第２カバー３３と、ケーブル５０の第１端と、を覆う。シェル３４は、あらかじめ用意された部品ではなく、インサート成型により形成される部品である。そのため、シェル３４は図２には描かれていない。
【００４４】
接触防止部材３６は、接地レール２０と各温度検知素子４０の出力端子との接触を防止するための部材である。本実施形態のプラグでは、第１温度検知素子４０Ａ及び第２温度検知素子４０Ｂは、図１に示すように、前壁部３１１と接地レール２０との間の収容スペース３７に位置する。そのため、第１温度検知素子４０Ａと第１信号線５４とを接続するために、第１温度検知素子４０Ａの出力端子４２は接地レール２０（特に連結片２２）を横切るように配置される。同様に、第２温度検知素子４０Ｂの出力端子４２は接地レール２０（特に連結片２２）を横切るように配置される。
【００４５】
接触防止部材３６は、図８及び図９に示すように、第１接触防止部３６１（３６１Ａ）と、第２接触防止部３６１（３６１Ｂ）と、第１接触防止部３６１Ａ及び第２接触防止部３６１Ｂを連結する連結部３６２と、を備える。
【００４６】
第１接触防止部３６１Ａは、第１温度検知素子４０Ａの出力端子４２と接地レール２０との間に位置する。第１接触防止部３６１Ａは、出力端子４２全体を覆うような大きさに形成される。第２接触防止部３６１Ｂは、第２温度検知素子４０Ｂの出力端子４２と接地レール２０との間に位置する。第２接触防止部３６１Ｂは、出力端子４２全体を覆うような大きさに形成される。
【００４７】
連結部３６２は、ボディブロック３２の一部と嵌合する形状を有する。そのため、接触防止部材３６は、連結部３６２によりボディブロック３２に取り付けられる。
【００４８】
本実施形態のプラグの組み立て方法について簡単に説明する。下記の説明はあくまでも一例であって、本実施形態のプラグの組み立て方法は下記の例に限定されない。
【００４９】
まず、ケーブル５０の第１通電線５１が第１通電ピン１０Ａの電線接続部１２に接続され、第２通電線５２が第２通電ピン１０Ｂの電線接続部１２に接続され、第１信号線５４が第１温度検知素子４０Ａの出力端子４２に接続され、第２信号線５５が第２温度検知素子４０Ｂの出力端子４２に接続される。
【００５０】
次に、温度検知素子４０Ａ，４０Ｂがボディブロック３２の収納部３２２に収納される。このとき、図１０に示すように、第１温度検知素子４０Ａの温度検知面４４が壁部３２２１Ａに対向し、第２温度検知素子４０Ｂの温度検知面４４が壁部３２２１Ｂに対向する。また、接触防止部材３６がボディブロック３２に取り付けられる。
【００５１】
また、第１通電ピン１０Ａの電線接続部１２がボディブロック３２の側壁部３２１Ａの凹所３２１１に配置され、第２通電ピン１０Ｂの電線接続部１２がボディブロック３２の側壁部３２１Ｂの凹所３２１１に配置される。
【００５２】
これにより、図１０に示すように、第１温度検知素子４０Ａの温度検知面４４が第１通電ピン１０Ａの電線接続部１２に対向し、さらに、壁部３２２１Ａが第１温度検知素子４０Ａの温度検知面４４と第１通電ピン１０Ａの電線接続部１２との間に位置する。また、第２温度検知素子４０Ｂの温度検知面４４が第２通電ピン１０Ｂの電線接続部１２に対向し、さらに、壁部３２２１Ｂが第２温度検知素子４０Ｂの温度検知面４４と第２通電ピン１０Ｂの電線接続部１２との間に位置する。
【００５３】
次に、接地レール２０がボディブロック３２の所定位置に配置される。これにより、ボディブロック３２の収納部３２２は、接地レール２０の一対の接触片２１Ａ，２１Ｂ及び連結片２２で囲まれる空間（収容スペース３７）に位置する。図７〜図９に示すように、第１温度検知素子４０Ａ及び第２温度検知素子４０Ｂの出力端子４２のそれぞれは、接地レール２０を横切るように配置される。しかしながら、第１接触防止部３６１Ａが第１温度検知素子４０Ａの出力端子４２と接地レール２０との間に位置し、第２接触防止部３６１Ｂは、第２温度検知素子４０Ｂの出力端子４２と接地レール２０との間に位置する。
【００５４】
また、ケーブル５０の接地線５３が接地レール２０の電線接続部２３に電気的に接続される。
【００５５】
その後、第１カバー３１がボディブロック３２の前側に取り付けられ、第２カバー３３がボディブロック３２の後ろ側に取り付けられる。
【００５６】
第１カバー３１をボディブロック３２に取り付ける場合、第１通電ピン１０Ａ及び第２通電ピン１０Ｂのコンタクト１１がそれぞれ第１通電ピン挿通孔３１１１Ａ及び第２通電ピン挿通孔３１１１Ｂに挿入される。また、接地レール２０の一対の接触片２１Ａ，２１Ｂが一対の溝３１２１Ａ，３１２１Ｂにそれぞれ配置される。また、接地レール２０の接地ピン受け２４が接地ピン用受孔３１１２に挿入される。第１カバー３１は、周壁部３１２の４つの第１嵌合部３１２２とボディブロック３２の４つの第２嵌合部３２１２とをそれぞれ嵌め合わせることで、ボディブロック３２に固定される。これによって、図１に示すように、温度検知素子４０が収容スペース３７に収容される。
【００５７】
第２カバー３３は、一対のねじ３５を用いてボディブロック３２の後ろ側に取り付けられる。
【００５８】
最後に、インサート成型により、シェル３４が形成される。
【００５９】
以上により、図３〜図５に示すような本実施形態のプラグが得られる。本実施形態のプラグは、前壁部３１１及び前壁部３１１より後方に突出する筒状の周壁部３１２を有するプラグ本体３０と、それぞれの前端部（コンタクト）１１が前壁部３１１から前方に突出するようにプラグ本体３０に収納される複数の通電ピン１０と、プラグ本体３０内において複数の通電ピン１０とそれぞれ間隔を空けて配置され複数の通電ピン１０の温度をそれぞれ検知する複数の温度検知素子４０と、周壁部３１２の両側にそれぞれ露設される長尺状の一対の接触片２１及びプラグ本体３０内において一対の接触片２１同士を連結する連結片２２を有する接地レール２０と、を備える。連結片２２は、前壁部３１１に対向する凹所２５を有するように曲げられた形状を有する。凹所２５は、前壁部３１１と接地レール２０との間に複数の温度検知素子４０を収容する収容スペース３７の少なくとも一部を構成する。
【００６０】
（別の実施形態）
本発明に係る別の実施形態のプラグでは、連結片２２は、一対の接触片（２１）の一方から他方に向かって延びる縦片（２２１）と、縦片（２２１）から後方に向かって延びる第１横片（２２２Ａ）と、一対の接触片（２１）の他方から後方に向かって延びる第２横片（２２２Ｂ）と、第１横片（２２２Ａ）と第２横片（２２２Ｂ）とを連結する接続片（２２３）と、を有してもよい。この場合も、凹所（２５）は、第１横片（２２２Ａ）と第２横片（２２２Ｂ）と接続片（２２３）とで囲まれた空間である。
【００６１】
要するに、本発明に係るプラグでは、連結片２２は、前壁部３１１に対向する凹所２５を有するように曲げられた形状を有していればよい。
【００６２】
本発明に係る別の実施形態のプラグでは、凹所（２５）が収容スペース（３７）の一部ではなく全部を構成してもよい。要するに、凹所（２５）が収容スペース（３７）の少なくとも一部を構成していれば、プラグ本体（３０）の大型化を抑制できる。
【００６３】
本発明に係る別の実施形態のプラグは、接地レール（２０）を横切って第１温度検知素子（４０Ａ）に接続される第１信号線（５４）と、接地レール（２０）を横切って第２温度検知素子（４０Ｂ）に接続される第２信号線（５５）と、を備えていてもよい。プラグ本体（３０）は、電気絶縁性を有する第１接触防止部（３６１Ａ）及び第２接触防止部（３６１Ｂ）をさらに有してもよい。第１接触防止部（３６１Ａ）は、第１信号線（５４）と接地レール（２０）との間に位置してもよい。第２接触防止部（３６１Ｂ）は、第２信号線（５５）と接地レール（２０）との間に位置してもよい。
【００６４】
第１接触防止部（３６１Ａ）及び第２接触防止部（３６１Ｂ）の形状は特に限定されず、接地レール（２０）との接触を防止できるような形状であればよい。
【００６５】
言い換えれば、本発明に係るプラグでは、温度検知素子（４０）の感温部（４１）出力を外部に取り出すための配線と接地レール２０との間に、電気絶縁性を有する部材が配置されていればよい。
【００６６】
本発明に係る別の実施形態のプラグは、ケーブル（５０）を備えていなくてもよい。この場合、プラグは、ケーブル（５０）が着脱自在に接続される端子ブロックを備えていてもよい。
【００６７】
本発明に係る別の実施形態のプラグは、シェル（３４）を備えていなくてもよい。
【００６８】
本発明に係る別の実施形態のプラグでは、プラグ本体（３０）が据え置き型であってもよい。
【００６９】
本発明に係る別の実施形態のプラグでは、温度検知素子（４０）は、ＮＴＣサーミスタであってもよい。要するに、温度検知素子（４０）は特に限定されない。
【００７０】
本発明に係るプラグは、必ずしもＣＥＥ７／７に適合するプラグである必要はない。例えば、本発明に係るプラグは、ＣＥＥ７／７以外の規格（ＣＥＥ７／４など）に適合するプラグであってもよい。要するに、本発明は、接地レールを有するプラグに適用可能である。ケーブル（５０）の電線の数は、通電ピン（１０）の数、接地ピン受け（２４）の有無、ピン（通電ピンや接地ピン）の配置も規格に応じて変更される。また、通電ピン（１０）の形状も規格に応じて変更される。例えば、通電ピン（１０）は矩形棒状であってもよい。つまり、通電ピン（１０）は角ピンであってもよい。
【００７１】
（本発明の形態）
以上の実施形態から明らかなように、本発明に係る第１の形態のプラグは、前壁部（３１１）及び前記前壁部（３１１）より後方に突出する筒状の周壁部（３１２）を有するプラグ本体（３０）と、それぞれの前端部（コンタクト１１）が前記前壁部（３１１）から前方に突出するように前記プラグ本体（３０）に収納される複数の通電ピン（１０）と、前記周壁部（３１２）の両側にそれぞれ露設される長尺状の一対の接触片（２１）及び前記プラグ本体（３０）内において前記一対の接触片（２１）同士を連結する連結片（２２）を有する接地レール（２０）と、前記プラグ本体（３０）内において前記複数の通電ピン（１０）とそれぞれ間隔を空けて配置され前記複数の通電ピン（１０）の温度をそれぞれ検知する複数の温度検知素子（４０）と、を備える。前記連結片（２２）は、前記前壁部（３１１）に対向する凹所（２５）を有するように曲げられた形状を有する。前記凹所（２５）は、前記前壁部（３１１）と前記接地レール（２０）との間に前記複数の温度検知素子（４０）を収容する収容スペース（３７）の少なくとも一部を構成する。
【００７２】
第１の形態のプラグによれば、接地レール（２０）の連結片（２２）は壁部（３１１）に対向する凹所（２５）を有するように曲げられた形状を有し、凹所（２５）は前壁部（３１１）と接地レール（２０）との間に複数の温度検知素子（４０）を収容する収容スペース（３７）の少なくとも一部を構成する。複数の温度検知素子（４０）は接地レール（２０）の後方ではなく接地レール（２０）の前方に収容される。そのため、プラグ本体（３０）の大型化が防止される。また、温度検知素子（４０）をより通電ピン（１０）の前端部に近付けることができる。一般に、通電ピン（１０）での発熱は前端部で起こる。したがって、通電ピン（１０）での発熱の検知精度が向上する。さらに、複数の通電ピン（１０）の温度をそれぞれ検知する複数の温度検知素子（４０）を備えるから、複数の通電ピン（１０）に対して一つの温度検知素子しかない場合に比べて複数の通電ピン（１０）での発熱を精度よく検知できる。したがって、プラグ本体（３０）の大型化を防止しながらも、複数の通電ピン（１０）での発熱を精度よく検知できる。
【００７３】
本発明に係る第２の形態のプラグは、第１の形態との組み合わせにより実現される。第２の形態では、前記連結片（２２）は、前記一対の接触片（２１）の一方から他方に向かって延びる第１縦片（２２１Ａ）と、前記一対の接触片（２１）の他方から一方に向かって延びる第２縦片（２２１Ｂ）と、前記第１縦片（２２１Ａ）から後方に向かって延びる第１横片（２２２Ａ）と、前記第２縦片（２２１Ｂ）から後方に向かって延びる第２横片（２２２Ｂ）と、前記第１横片（２２２Ａ）と前記第２横片（２２２Ｂ）とを連結する接続片（２２３）と、を有する。前記凹所（２５）は、前記第１横片（２２２Ａ）と前記第２横片（２２２Ｂ）と前記接続片（２２３）とで囲まれた空間である。
【００７４】
第２の形態のプラグによれば、第１通電ピン（１０Ａ）と第２通電ピン（１０Ｂ）と一対の接触片（２１）とで囲まれたスペースに、第１温度検知素子（４０Ａ）と第２温度検知素子（４０Ｂ）とが収容される。そのため、プラグ本体（３０）の大型化をさらに防止できる。
【００７５】
本発明に係る第３の形態のプラグは、第１または第２の形態との組み合わせにより実現される。第３の形態では、前記複数の通電ピン（１０）は、第１通電ピン（１０Ａ）と、第２通電ピン（１０Ｂ）と、を含む。前記第１通電ピン（１０Ａ）及び前記第２通電ピン（１０Ｂ）は、前記プラグ本体（３０）の前後方向に沿った第１方向に直交する第２方向において間隔を空けて配置される。前記一対の接触片（２１Ａ，２１Ｂ）は、前記第１方向及び前記第２方向に直交する第３方向において間隔を空けて配置され、かつ、前記第２方向において前記第１通電ピン（１０Ａ）と前記第２通電ピン（１０Ｂ）との間に位置する。前記複数の温度検知素子（４０）は、前記第１通電ピン（１０Ａ）の温度を検知する第１温度検知素子（４０Ａ）と、前記第２通電ピン（１０Ｂ）の温度を検知する第２温度検知素子（４０Ｂ）と、を含む。前記収容スペース（３７）は、前記第１通電ピン（１０Ａ）と前記第２通電ピン（１０Ｂ）と前記一対の接触片（２１Ａ，２１Ｂ）とで囲まれている。
【００７６】
第３の形態のプラグによれば、第１通電ピン（１０Ａ）と第２通電ピン（１０Ｂ）と一対の接触片（２１，２１）とで囲まれたスペースに、第１温度検知素子（４０Ａ）と第２温度検知素子（４０Ｂ）とが収容される。そのため、プラグのさらなる小型化が図れる。
【００７７】
本発明に係る第４の形態のプラグは、第３の形態との組み合わせにより実現される。第４の形態では、前記プラグ本体（３０）は、電気絶縁性を有する第１接触防止部（３６１Ａ）及び第２接触防止部（３６１Ｂ）をさらに有する。前記第１温度検知素子（４０Ａ）及び前記第２温度検知素子（４０Ｂ）のそれぞれは、前記接地レール（２０）を横切るように配置される出力端子（４２）を有する。前記第１接触防止部（３６１Ａ）は、前記第１温度検知素子（４０Ａ）の前記出力端子（４２）と前記接地レール（２０）との間に位置する。前記第２接触防止部（３６１Ｂ）は、前記第２温度検知素子（４０Ｂ）の前記出力端子（４２）と前記接地レール（２０）との間に位置する。
【００７８】
第４の形態のプラグによれば、第１及び第２温度検知素子（４０Ａ，４０Ｂ）が接地されてしまうことを確実に防止できる。そのため、プラグの温度検知の信頼性が向上する。
【００７９】
本発明に係る第５の形態のプラグは、第３の形態との組み合わせにより実現される。第５の形態では、前記プラグは、前記接地レール（２０）を横切って前記第１温度検知素子（４０Ａ）に接続される第１信号線（５４）と、前記接地レール（２０）を横切って前記第２温度検知素子（４０Ｂ）に接続される第２信号線（５５）と、をさらに備える。前記プラグ本体（３０）は、電気絶縁性を有する第１接触防止部（３６１Ａ）及び第２接触防止部（３６１Ｂ）をさらに有する。前記第１接触防止部（３６１Ａ）は、前記第１信号線（５４）と前記接地レール（２０）との間に位置する。前記第２接触防止部（３６１Ｂ）は、前記第２信号線（５５）と前記接地レール（２０）との間に位置する。
【００８０】
第５の形態のプラグによれば、第１及び第２温度検知素子（４０Ａ，４０Ｂ）が接地されてしまうことを確実に防止できる。そのため、プラグの温度検知の信頼性が向上する。
【００８１】
本発明に係る第６の形態のプラグは、第３〜第５の形態のいずれか一つとの組み合わせにより実現される。第６の形態では、前記プラグ本体（３０）は、電気絶縁性を有する第１壁部（３２２１Ａ）及び第２壁部（３２２１Ｂ）をさらに有する。前記第１壁部（３２２１Ａ）は、前記第１通電ピン（１０Ａ）と前記第１温度検知素子（４０Ａ）との間に位置する。前記第２壁部（３２２１Ｂ）は、前記第２通電ピン（１０Ｂ）と前記第２温度検知素子（４０Ｂ）との間に位置する。
【００８２】
第６の形態のプラグによれば、第１及び第２通電ピン（１０Ａ，１０Ｂ）と第１及び第２温度検知素子（４０Ａ，４０Ｂ）とを確実に電気的に絶縁できる。また、第１及び第２壁部（３２２１Ａ，３２２１Ｂ）により熱が第１及び第２通電ピン（１０Ａ，１０Ｂ）から第１及び第２温度検知素子（４０Ａ，４０Ｂ）に伝わりやすくなるから、第１及び第２通電ピン（１０Ａ，１０Ｂ）での発熱の検知精度が向上する。
【符号の説明】
【００８３】
１０        通電ピン
１０Ａ      第１通電ピン
１０Ｂ      第２通電ピン
２０        接地レール
２１        接触片
２２        連結片
２２１Ａ    第１縦片
２２１Ｂ    第２縦片
２２２Ａ    第１横片
２２２Ｂ    第２横片
２２３      接続片
２５        凹所
３０        プラグ本体
３１１      前壁部
３１２      周壁部
３２２１Ａ  第１壁部
３２２１Ｂ  第２壁部
３６１Ａ    第１接触防止部
３６１Ｂ    第２接触防止部
３７        収容スペース
４０        温度検知素子
４０Ａ      第１温度検知素子
４０Ｂ      第２温度検知素子
４２        出力端子
５４        第１信号線
５５        第２信号線
【図１】
0006507446.tif 000002
【図２】
0006507446.tif 000003
【図３】
0006507446.tif 000004
【図４】
0006507446.tif 000005
【図５】
0006507446.tif 000006
【図６】
0006507446.tif 000007
【図７】
0006507446.tif 000008
【図８】
0006507446.tif 000009
【図９】
0006507446.tif 000010
【図１０】
0006507446.tif 000011